(57)【要約】【課題】２重容器を用いた櫛付き容器において、液体を連続して吐出させ易く、又、胴部に印刷することが容易であり、更に内容器内の液体を使い切ったときには簡単な操作で内容器を交換することができるものを提供する。【解決手段】容器体１の口頚部５へ連結させた装着筒３１から中空櫛２１を起立すると共に、これら容器体１と装着筒３１との間に、吸込み弁１５及び吸込みパイプ１６付きのシリンダ１４と、該シリンダ内へ上下動可能に嵌合させた吐出筒部材４１とからなる縦形ポンプ５１を、シリンダ１４は、容器体口頚部から起立する連結筒１２中間の内向きフランジ１３に付設させて、又吐出筒４３は、上記装着筒３１内から垂下させ、かつ装着筒３１を上方付勢させて上記連結筒１２上部内へ嵌合させて設け、又、容器体１は、内外２重容器として、内容器３を収縮可能に形成した。【選択図】図１
2004001812.tif 000002
【特許請求の範囲】
【請求項１】
口頚部を起立する容器体と、上記口頚部へ連結させた装着筒から起立する中空櫛とを備えた櫛付き容器において、
上記容器体１と装着筒３１との間には容器体の内容物を中空櫛へ圧送するポンプ５１を設け、又、容器体１は、内外２重容器として、内容器３を収縮可能に形成したことを特徴とする櫛付き容器。
【請求項２】
上記ポンプ５１は、吸込み弁１５付きのシリンダ１４と、該シリンダ内へ上下動可能に嵌合させた吐出筒部材４１とからなる縦形ポンプとし、シリンダ１４は、容器体口頚部５から起立する連結筒１２中間の内向きフランジ１３に付設させて、又吐出筒部材４１は、上記装着筒３１内から垂下させ、かつ装着筒３１を上方付勢させて上記連結筒１２上部内へ嵌合させて形成したことを特徴とする、請求項１記載の櫛付き容器。
【請求項３】
上記装着筒３１は、下向きに拡開させてその筒壁下部が形成する大径筒部３１ｃを上記連結筒１２上部へ摺接させると共に、装着筒上面の一部を押下げ肩部３２としたことを特徴とする、請求項１乃至請求項２記載の櫛付き容器。
【請求項４】
上記吸込み弁１５から内容器３内へ吸込みパイプ１６を垂下したことを特徴とする、請求項２又は請求項３に記載の櫛付き容器。
【請求項５】
外容器２を不透明な材料で形成したことを特徴とする、請求項１、請求項２、請求項３、又は請求項４に記載の櫛付き容器。
【請求項６】
上記外容器２の一部に空気導入孔７を設けたことを特徴とする、請求項１乃至請求項５のいずれかに記載の櫛付き容器。
【請求項７】
上記外容器２及び内容器３を、連結筒１２に対して着脱自在に形成したことを特徴とする、請求項２乃至請求項６のいずれかに記載の櫛付き容器。
【請求項８】
上記外容器２の下面を開口させると共に、内容器３を連結筒１２に対して着脱自在に形成したことを特徴する、請求項２から請求項４の何れかに記載の櫛付き容器。
【発明の詳細な説明】
【０００１】
【発明の利用分野】
この発明は、櫛付き容器に関する。
【０００２】
【従来の技術】
例えば、内外２重容器で形成する容器体の口頚部から中空櫛を起立すると共に、上記内外容器の間隙へ外気を導入する逆止弁付き通路を設け、外容器胴部を圧搾すると、上記間隙内の加圧された空気が内容器を収縮させ、該内容器内液体が中空櫛の櫛歯に設けた透孔から吐出され、上記圧搾を開放すると外容器のみが弾性復元するように設けた容器を開示している。
【０００３】
【発明の解決しようとする課題】
上記容器は、外容器が原形に復元するまで次の圧搾操作をすることができないので、例えば頭髪を梳きながら液を塗り足したいときに手早く連続操作することができない。又、胴部は圧搾可能に形成する必要があるから、その胴部への印刷が困難であり、更に胴部を印刷付きシュリンクフィルムで覆おうとしても胴部圧搾によりそのフィルムにしわができ、体裁を損ね易い。
【０００４】
本発明は、上記問題点を解決するため、内外２重容器からなる容器体の口頚部と中空櫛との間にポンプを介在させてそのポンプ作用により液体を櫛歯から吐出可能とした使い勝手の良い容器を提供し、併せて、その２重容器のうち内容器を交換可能とすることで資源の無駄が少ない容器を提供することを目的とする。
【０００５】
【課題を解決するための手段】
第１の手段は、口頚部を起立する容器体と、上記口頚部へ連結させた装着筒から起立する中空櫛とを備えた櫛付き容器において、
上記容器体１と装着筒３１との間には容器体の内容物を中空櫛へ圧送するポンプ５１を設け、又、容器体１は、内外２重容器として、内容器３を収縮可能に形成している。
【０００６】
第２の手段は、上記第１の手段を有し、かつ上記ポンプ５１は、吸込み弁１５付きのシリンダ１４と、該シリンダ内へ上下動可能に嵌合させた吐出筒部材４１とからなる縦形ポンプとし、シリンダ１４は、容器体口頚部５から起立する連結筒１２中間の内向きフランジ１３に付設させて、又吐出筒部材４１は、上記装着筒３１内から垂下させ、かつ装着筒３１を上方付勢させて上記連結筒１２上部内へ嵌合させて形成している。
【０００７】
第３の手段は、上記第１の手段又は第２の手段を有し、かつ上記装着筒３１は、下向きに拡開させてその筒壁下部が形成する大径筒部３１ｃを上記連結筒１２上部へ摺接させると共に、装着筒上面の一部を押下げ肩部３２としている。
【０００８】
第４の手段は、上記第２の手段又は第３の手段を有し、かつ上記吸込み弁１５から内容器３内へ吸込みパイプ１６を垂下している。
【０００９】
第５の手段は、上記第１の手段、第２の手段、第３の手段、又は第４の手段を有し、かつ外容器２を不透明な材料で形成している。
【００１０】
第６の手段は、上記第１の手段乃至第５の手段のいずれかを有し、かつ上記外容器２の一部に空気導入孔７を設けている。
【００１１】
第７の手段は、上記第２の手段乃至第６の手段のいずれかを有し、かつ上記外容器２及び内容器３を、連結筒１２に対して着脱自在に形成している。
【００１２】
第８の手段は、上記第２の手段乃至第４の手段のいずれかを有し、かつ上記外容器２の下面を開口させると共に、内容器３を連結筒１２に対して着脱自在に形成している。
【００１３】
【発明の実施の形態】
図１は、第１実施形態を示す。
【００１４】
１は、容器体であり、該容器体は、外容器２と、内容物（液体、クリーム状物など）収納用の内容器３とで形成された２重容器としている。
【００１５】
外容器２は、有底筒形の胴部４から肩部を介してやや小径の口頚部５を起立している。該口頚部の上部外面には螺条６を設け、口頚部下部には外気導入孔７を穿設している。該外容器は、本願櫛付き容器及びその内容物の重量を支持できる程度の剛性を有する。又、外容器２は、不透明な材料で形成すると良い。
【００１６】
内容器３は、外容器２内へ収容可能な形状とした有底の周壁上端に付設した鍔部９を、上記外容器口頚部５の上端面へ載置させて、外容器２内へ挿脱自在に吊設させたものである。内容器は、内部の負圧化により収縮可能な程度に柔軟性に富む材料で、肉薄に形成するものとし、例えば真空成形やブロー成形などにより形成することができる。
【００１７】
容器体１の口頚部５には、シリンダ付きキャップ状部材１１が有する連結筒１２下半部を着脱自在に螺合させると共に、該連結筒上下方向中間から突出した内向きフランジ１３を介してシリンダ１４を起立する。内向きフランジ１３裏面と外容器の口頚部５上端面との間にはパッキングを介して内容器の鍔部９が挟持されている。又、上記シリンダ１４の底部には吸込み弁１５が設けられ、該吸込み弁から内容器の内容物を吸上げるように構成している。又、上記シリンダ１４の周壁外面には、シリンダ上端部内への折り返し筒部１８ａを上端部に有する筒体１８が嵌合されている。
【００１８】
中空櫛２１は、筒状の柄２２上部前壁から吐出孔２４付きの櫛歯２３…を多数突出した従来公知の構成のものであり、その柄２２下部には装着筒３１が嵌合されている。
【００１９】
該装着筒は、柄２２下端部へ嵌合させた小径筒部３１ａから中間部３１ｂを介して大径筒部３１ｃを垂下して、該大径筒部を上記連結筒１２上半部内へ摺接させると共に、上記小径筒部を図示例では前方へ偏心させ、中間部３１ｂの後側上面部分をポンプ作動用押下げ肩部３２に形成している。
【００２０】
上記大径筒部３１ｃ内部には、吐出筒部材４１を内装する。該吐出筒部材は、大径筒部３１ｃ内面へ、有底の吐出筒４３上部に付設した外向きフランジ４２の外縁部を嵌着して固定させると共に、上記吐出筒４３下部に設けた筒状ピストン４４をシリンダ１４内へ嵌挿させ、かつ吐出筒４３が形成する流路の途中に吐出弁４５を形成するものであり、これら吐出筒部材４１とシリンダ１４とで縦形のポンプ５１が構成されている。該ポンプは公知の他の構造に代えて良い。尚、図示例では、上記吐出筒４３と外向きフランジとを別体とし、該外向きフランジ内縁から垂下する取付筒４６内へ上記吐出筒４３を嵌合させており、又、吐出弁４５は、筒状ピストン４４内面と吐出筒４３に穿設した弁孔とで形成している。尚、上記外向きフランジ４２は、スプリング４７により上方へ付勢させている。
【００２１】
図２は、内容器３の内容物がなくなったときのための交換用容器であって、内容物を充填した内容器３の口部をシール１０で剥離可能に閉塞したものである。
【００２２】
上記構成において、図１の状態より押下げ肩部３２を付勢に抗して押し下げると、シリンダ１４内が高圧化して該シリンダ内流動物が吐出弁４５を通り、吐出筒４３及び柄２２の各内部を経て櫛歯２３の吐出孔２４から吐出される。又、上記押下げ肩部３２を離すと、スプリング４７が吐出筒部材４１を介して中空櫛２１を押し上げ、かつ吐出弁４５が閉じることでシリンダ１４内部が負圧化され、該負圧化により吸込み弁１５が開き、内容器３内の流体物がシリンダ１４内へ吸込みされ、すると、図１に想像線で示す如く内容器３が収縮することで、内容器３と外容器２との間隙内へは外気導入孔７を介して外気が吸入される。
【００２３】
又、内容器３の内容物を使い切ったときには、キャップ状部材１１から、口頚部５を螺脱させることで容器体１を外し、かつその外容器２内から空となった内容器３を取り出し、別に用意した図２の内容器３を、シール１０を外して外容器２内に装着し、かつ容器体１をキャップ状部材１１に装着すれば良い。
【００２４】
図３は、第１実施形態の変形例を示すものであり、シリンダ１４の吸込み弁１５から内容器３内へ吸上げパイプ１６を垂下したものである。該吸上げパイプは、例えばシリンダ１４底部の弁孔から垂下した取付筒内に取り付けることができる。尚、特に図示はしないが後述の第２、第３実施形態においても、本変形例と同様に吸上げパイプ１６を設けることができる。
【００２５】
例えば、整髪料として１液及び２液を内容器２内へ注ぎ込むときには、内容器の口頂面まで液体を一杯に満たすことは困難であり、内容器の口部付近には空間ができるのが通常であるため、吸上げパイプ１６を設けない場合には、最初に押下げ肩部３２を押し下げるときの幾度かの押下げ操作については、内容器の内容物を有効にシリンダ１４内へ吸上げることができない。本変形例ではそのような押下げ肩部３２の無駄押しを不要とすることができる。他方、上記の如き空間を無視できる場合などには、製造コストの面などから吸込みパイプを設けない方が有利である。
【００２６】
以下、本発明の第２、第３の実施形態を説明するが、これら形態の構成のうち第１実施形態と同じ事項については同一符号を付することで説明を省略する。
【００２７】
図４は、本発明の第２実施形態を示すもので、第１実施形態の場合に比べて、外容器２を、高級な仕上げに適した肉厚容器に形成したものである。該外容器は例えばインジェクション成形することができる。尚図示例では外容器の口頚部５と胴部４とを同内径とし、かつ内容器も筒長全長に亘って同径としている。図５は本形態の櫛付き容器に使用される交換用内容器３である。
【００２８】
図６は、本発明の第３実施形態を示す。
【００２９】
本実施形態は、第１実施形態における外容器２の底壁を除去して、下面を開口させ、該開口８を、内容器取出し口とするものである。
【００３０】
即ち、第１実施形態の場合には、外容器２内から内容器３を外す際には、通常、内容器口縁と鍔部９外縁とを指で挟んで引き上げるが、そうすると、内容器３内面に残った液が指先に付着するおそれがある。この不都合を避けるために、本実施形態ではキャップを弛め、空の内容器３底部を外容器底部の開口８側から強制的に引き抜くことが可能としたものである。該引き抜き後、外容器２を連結筒１２下部から螺脱させればよく、該外容器２に新しい内容器３を内装してキャップ状部材１１に装着すれば図６状態となる。尚、本実施形態では、第１実施形態の如く口頚部５に外気導入口７を穿設することは不要である。又、交換用内容器は第２実施形態のものと同じ構造のものとすればよい。
【００３１】
【発明の効果】
本発明は上記構成のものであり、請求項１の発明では、容器体１と装着筒３１との間にポンプ５１を設けたから、そのポンプ作用により内容器３の内容物を櫛歯２３から吐出することができ、外容器２の胴部を圧搾する必要がないので、胴部への印刷が困難となったり、胴部を覆うシュリンクフィルムにしわができたりすることもなく、又、胴部が上記圧搾後弾性復元するまでの間に次の操作が行えなくなることもない。
【００３２】
請求項２の発明は、上記ポンプ５１を、シリンダ１４と吐出筒部材４１とで形成した縦形ポンプとしたものであり、該ポンプにより中空櫛への内容器の供給を的確かつ確実に行うものである。
【００３３】
請求項３の発明によれば、装着筒の上面一部を押下げ肩部３２に形成したから、ポンプ作動操作が容易となる。
【００３４】
請求項４の発明によれば、吸込み弁１５から内容器３内へ吸上げパイプ１６を垂下したから、初期使用の段階で内容器の上部内に空気があっても、内容器３の内容物をシリンダ４１内へ効果的に吸い上げることができる。
【００３５】
請求項５の発明によれば、外容器２を透明な材料で形成したから、内容物の吸上げにより内容器３が潰れていく様が利用者の目に入り難く、体裁が良い。
【００３６】
請求項６の発明は、上記外容器２の一部に空気導入孔７を設けており、外容器２と内容器３との間への外気導入を容易として、該内容器の収縮を可能としている。
【００３７】
請求項７及び請求項８の発明によれば、連結筒１２に対して内容器３が着脱可能であるから、内容器３の内容液を使い終わったときには、該内容器のみを交換することで外容器を再利用することができ、省資源の要請に応えると共に、その外容器２を高級感のある仕上げとすることで意匠性を効率的に高めることができる。
【００３８】
請求項８の発明によれば、更に次の効果を奏する。
○外容器２の下面を開口させたから、該開口８を介して、空になった内容器３を下方へ引き抜き、交換することができ、キャップ状部材から容器体を外してその口頚部５内から内容器３を引き上げる場合の如く、内容器内面に残された内容物が指先に付着する虞がない。
○外容器２下面を開口させることで、後加工として該外容器の一部に外気導入口７を穿設する必要がなくなるから、製造コストを低減することができる。
○外容器２の底壁を形成しなくてよいから、材料費も軽減される。
【図面の簡単な説明】
【図１】本発明の第１の実施形態に係る容器の縦断面図である。
【図２】図１容器の内容器交換用として構成された予備の内容器である。
【図３】図１容器の変形例を示すものである。
【図４】本発明の第２の実施形態に係る容器の縦断面図である。
【図５】図４容器の内容器交換用として構成された予備の内容器である。
【図６】本発明の第３の実施形態に係る容器の縦断面図である。
【符号の説明】
１…容器体　２…外容器　　３…内容器　　４…胴部　５…口頚部
６…螺条　　７…外気導入孔　８…開口９…鍔部　１０…シール
１１…キャップ状部材　　１２…連結筒　　１３…内向きフランジ
１４…シリンダ　　１５…吸込み弁　１６…吸上げパイプ　１８…筒体
１８ａ…折り返し筒部
２１…中空櫛　　２２…柄　　２３…櫛歯　２４…吐出孔
３１…装着筒　　３１ａ…小径筒部　３１ｂ…中間部　３１ｃ…大径筒部
３２…押下げ肩部
４１…吐出筒部材　４２…外向きフランジ　４３…吐出筒　４４…筒状ピストン
４５…吐出弁　　４６…取付け筒　　４７…スプリング
５１…ポン
【図１】
2004001812.tif 000003
【図２】
2004001812.tif 000004
【図３】
2004001812.tif 000005
【図４】
2004001812.tif 000006
【図５】
2004001812.tif 000007
【図６】
2004001812.tif 000008